(57)【要約】【課題】締付作業時のねじり力が大きくても、四角ドライバーが作動孔の内部から抜けないことを確保できる上、プラスドライバーやマイナスドライバーとの有効接触距離が従来のものよりも長いようにその作動孔が構成されているねじを提供することを目的とする。【解決手段】頭部と前記頭部の下面から下へ延出してなる軸部とからなり、かつ前記頭部の上面から前記軸部の方向へねじ作動孔が形成してあるねじにおいて、前記作動孔は、前記頭部の真ん中に形成され、かつそれらの隣同士間が互いに垂直関係にある４つの側面を有している正方形の主孔部と、前記主孔部の前記４つの側面それぞれの略中間箇所から１つずつ放射状に延出してなり、かつその幅が前記主孔部のそれと対応する側面の幅よりも小である二対の方形孔部とからなっていることを特徴とするねじ。【選択図】図４
2005172062.tif 000002
【特許請求の範囲】
【請求項１】
頭部と前記頭部の下面から下へ延出してなる軸部とからなり、かつ前記頭部の上面から前記軸部の方向へねじ作動孔が形成してあるねじにおいて、
前記作動孔は、前記頭部の真ん中に形成され、かつそれらの隣同士間が互いに垂直関係にある４つの側面を有している正方形の主孔部と、前記主孔部の前記４つの側面それぞれの略中間箇所から１つずつ放射状に延出してなり、かつその幅が前記主孔部のそれと対応する側面の幅よりも小である二対の方形孔部とからなっていることを特徴とするねじ。
【請求項２】
前記主孔部の先端部は、角錐形を呈していることを特徴とする請求項１に記載のねじ。
【請求項３】
前記上面は平面であり、また、前記各方形孔部は、いずれも、前記側面及び前記上面と垂直関係で直角をなし、かつ前記幅を開けて互いに平行関係にある２つの直角三角形面と、前記２つの直角三角形面の斜辺を連接してなる長方形面とから構成されていることを特徴とする請求項１または２に記載のねじ。
【発明の詳細な説明】
【技術分野】
【０００１】
本発明は、ねじに関し、特に四角ドライバーにもプラスドライバーにもマイナスドライバーにも適用できるねじに関する。
【背景技術】
【０００２】
従来のねじは、概して、四角ドライバー、プラスドライバー及びマイナスドライバーのそれぞれに適用できる３種類があるが、プラスドライバーにも、マイナスドライバーにも、さらに四角ドライバーにも適用できる三者兼用のねじが便利であって望ましい。図１に示すねじは、その頭部１に前記頭部１の上面から軸部の延出方向と同じ方向へ十字形のねじ作動孔１１が窪んで形成されている上、該ねじ作動孔１１の十字形交叉部になったところにある４つの隅角１１３がそれぞれカーブ状を呈している。
【０００３】
このようなねじは、前記十字形のねじ作動孔１１により、プラスドライバーにもマイナスドライバーにも適用できる上、前記十字形のねじ作動孔１１の真ん中、すなわち前記４つのカーブ状隅角１１３の頂点どうしを結ぶ線の内側部分１１２が略方形になっているので、四角ドライバー１１５にも適用できると言われ、三者兼用型と自称されている。
【０００４】
しかしながら、前記略方形孔部１１２の４つの隅角１１３は、カーブ状を呈していてドライバー（四角）を係止する位置が４つのカーブ頂点だけであるので、締付作業時にねじり力が大きいと、ドライバー（四角）が係止位置からずれて前記略方形孔部１１２内に回動したり前記略方形孔部１１２から抜けたりして、締付をしっかりと行うことができないという問題がある。
【０００５】
このため、図２に示すような他のねじが開示されている。図２に示すのは、その作動孔２１が、頭部２の真ん中に形成されている正方形の主孔部２１１と、それぞれ前記主孔部２１１の４つの角部の１つにそれと向かい合っている角部と線対称的に形成されている４つの方形孔部２１２とからなっている。前記主孔部２１１の４つの角部にある前記４つの方形孔部２１２はそれぞれ、前記主孔部２１１を渡って、それと線対称的に形成されている方形孔部２１２と対になって一字形になり、また他の対と合わさって十字形になっている。
【０００６】
このようなねじは、前記一字形及び十字形により、プラスドライバーにもマイナスドライバーにも適用できる上、前記正方形の主孔部２１１により四角ドライバーにも適用できる。また、前記主孔部２１１は、互いに垂直関係にある４つの側面２１４を有しているので、締付作業時に、ドライバー（四角）が前記主孔部２１１から抜けにくいという利点を有する。
【発明の開示】
【発明が解決しようとする課題】
【０００７】
しかしながら、本発明者は、鋭意研究したところ、前記図２に示しているねじにはまだ欠点があることを発見した。
【０００８】
すなわち、図３に示すように、前記主孔部２１１と前記各方形孔部２１２との境界線２１５から前記主孔部２１１の中心点（Ｏ）までの垂直長さ（ｄ１）が前記主孔部２１１の側面２１４から該中心点（Ｏ）までの垂直長さ（ｄ）よりも長いため、同様のサイズの主孔部２１１及び同様のプラスドライバーやマイナスドライバーの下では、各方形孔部２１２の長さ（Ｌ１）が、方形孔部が前記主孔部２１１の側面２１４に形成される場合の方形孔部の長さ（Ｌ）よりも短くなり、このためプラスドライバーやマイナスドライバーの前記作動孔２１との有効接触距離が短くなり、締付ける時に力を与えにくいという問題があることを発見した。
【０００９】
そして、図２に示している前記ねじの主孔部２１１の四隅角は前記４つの方形孔部２１２の存在により中空状態となっているため、四角ドライバーの先端部の４つの隅角を規制することができず、締付け時のねじり力が大きいと、四角ドライバーの先端部が前記主孔部から抜ける可能性があるという問題もある。
【００１０】
本発明は、前記のような諸問題に鑑みてなされたものであり、締付作業時のねじり力が大きくても、四角ドライバーが作動孔の内部から抜けないことを確保できる上、プラスドライバーやマイナスドライバーとの有効接触距離が従来のものよりも長いようにその作動孔が構成されているねじを提供することを目的とする。
【課題を解決するための手段】
【００１１】
前記目的を達成するために、発明者は、頭部と前記頭部の下面から下へ延出してなる軸部とからなり、かつ前記頭部の上面から前記軸部の方向へねじ作動孔が形成してあるねじにおいて、前記作動孔は、前記頭部の真ん中に形成され、かつそれらの隣同士間が互いに垂直関係にある４つの側面を有している正方形の主孔部と、前記主孔部の前記４つの側面それぞれの略中間箇所から１つずつ放射状に延出してなり、かつその幅が前記主孔部のそれと対応する側面の幅よりも小である二対の方形孔部とからなっていることを特徴とするねじを提供する。
【００１２】
この構成によるねじは、その二対の方形孔部が前記主孔部の側面に形成されているため、図２に示している従来のねじに比べて、同様のサイズの主孔部及び同様のプラスドライバーやマイナスドライバーの下では、方形孔部の長さ（図３におけるＬ）がいっそう長いので、作動孔のプラスドライバーやマイナスドライバーとの有効接触距離がいっそう長くなり、締付けの動作を容易に行うことができる。そして、前記二対の方形孔部が前記主孔部の側面に形成されていることで、前記主孔部の４つの隅角がそのまま存在しているので、四角ドライバーの先端部の４つの隅角をすべて規制することができ、四角ドライバーは、締付作業時のねじり力が大きくても、前記正方形孔部から抜けることがない。
【００１３】
そして、通常のマイナスドライバー及びプラスドライバーの先端部の形状と合致させるために、前記主孔部の先端部は、角錐形を呈していることが好ましく、前記各方形孔部はいずれも、前記側面と垂直関係で直角をなし、かつ前記幅を開けて互いに平行関係にある２つの直角三角形面と、前記２つの直角三角形面の斜辺を連接してなる長方形面とから構成されていることが好ましい。
【００１４】
また、前記ねじの頭部は皿頭であってもよく、丸頭であってもよい。前記頭部が皿頭であり、すなわちその上面が平面であるとき、前記２つの直角三角形面はさらに該上面と垂直関係にある。
【発明の効果】
【００１５】
本発明のねじは、四角ドライバーが作動孔内から抜けないことを確保できる上、プラスドライバーやマイナスドライバーとの有効接触距離が従来のものよりも長いので、力を容易に与えて締付けの動作を行うことができる。
【発明を実施するための最良の形態】
【００１６】
以下、本発明の好ましい実施形態を詳しく説明する。なお、以下の説明においては、そのサイズに拘わらず、略同一の機能及び構成を有する構成要素については、同一の符号を付して説明を省略し、重複説明は必要な場合にのみ行うことにする。
【００１７】
図４は、本発明のねじの好ましい実施形態を示す上面図であり、図５は、該実施形態の部分断面斜視図であり、図６は、該実施形態の側断面図である。これらの図に示すように、本発明のねじは、頭部３とこの頭部３の下面から下へ延出してなる軸部４とからなっている。本実施形態において、前記頭部３はその上面３１が平面である皿頭である。また、前記頭部３の上面３１から前記軸部４の方向へねじ作動孔３２が形成してある。
【００１８】
もっと詳しく説明すると、前記作動孔３２は、図４及び図５に示すように、前記頭部３の真ん中に形成され、かつそれらの隣同士間が互いに垂直関係にある４つの側面３２４を有している正方形の主孔部３２１と、前記主孔部３２１の前記４つの側面３２４それぞれの略中間箇所から１つずつ放射状に延出してなり、かつその幅が前記主孔部３２１のそれと対応する側面３２４の幅よりも小である二対の方形孔部３２３とからなっている。また、前記二対の方形孔部３２３は、前記主孔部３２１を渡って、それと線対称的に形成されている方形孔部３２３と対になって一字形になり、また他の対と合わさって十字形になっている。
【００１９】
また、通常のマイナスドライバー及びプラスドライバーの先端部の形状と合致させるために、図５及び図６に示すように、前記主孔部３２１の先端部は、角錐形を呈している。前記各方形孔部３２３は、いずれも、前記側面３２４及び前記上面３１と垂直関係で直角をなし、かつ前記幅を開けて互いに平行関係にある２つの直角三角形面３２５，３２５と、前記２つの直角三角形面３２５，３２５の斜辺を連接してなる長方形面３２６とから構成されている。
【００２０】
このようなねじは、前記一字形及び十字形孔によりプラスドライバー及びマイナスドライバーに適用できる上、前記正方形の主孔部３２１により四角ドライバーにも適用できる。
【００２１】
また、図３及び図４から分かるように、本発明のねじにおける前記主孔部３２１の側面３２４から前記主孔部３２１の中心点（Ｏ）までの垂直長さ（ｄ）が、従来のねじにおける方形孔部が主孔部の角部に形成される場合の主孔部と方形孔部との境界線から主孔部の中心点（Ｏ）までの垂直長さ（ｄ１）よりも短いので、また、同様のサイズの主孔部及び同様のプラスドライバーやマイナスドライバーの下では、本発明のねじにおける方形孔部３２３の長さ（Ｌ）が従来のねじにおける方形孔部の長さ（Ｌ１）よりも長いので、プラスドライバーやマイナスドライバーと前記作動孔３２との有効接触距離が長くなり、締付けの動作を容易に行うことができる。
【００２２】
そして、本発明におけるねじの主孔部３２１の４つの直角の隅角がそのまま存在し、かつ４つの側面３２４のそれぞれの一部が残っているので、四角ドライバーの先端部を完全に規制することができ、したがって、四角ドライバーは、締付け時のねじり力が大きくても、前記主孔部３２１内から抜けることがない。
【産業上の利用可能性】
【００２３】
以上のように、本発明のねじは、主孔部が４つの直角の隅角を有するので、締付ける時に四角ドライバーが作動孔内から抜けないことを確保できる上、プラスドライバーやマイナスドライバーとの有効接触距離が従来のものよりも長いので、力を容易に与えて締付けの動作を行うことができる。したがって、四角ドライバーにもプラスドライバーにもマイナスドライバーにも適用できる。
【００２４】
なお、以上説明した実施の形態は、あくまでも本発明の技術的内容を明らかにする意図の下においてなされたものであり、本発明はそうした具体例に限定して狭義に解釈されるものではなく、本発明の精神と特許請求の範囲に述べられた範囲で、いろいろ変更して実施できるものである。
【図面の簡単な説明】
【００２５】
【図１】従来のねじの上面図である。
【図２】従来の他のねじの上面図である。
【図３】従来の他のねじにおける方形孔部の形成位置が異なるときの説明図である。
【図４】本発明のねじの好ましい実施形態の上面図である。
【図５】前記実施形態の部分断面斜視図である。
【図６】前記実施形態の側断面図である。
【符号の説明】
【００２６】
３     頭部
４     軸部
３１     上面
３２     ねじ作動孔
３２１   主孔部
３２３   方形孔部
３２４   側面
３２５   直角三角形面
３２６   長方形面
【図１】
2005172062.tif 000003
【図２】
2005172062.tif 000004
【図３】
2005172062.tif 000005
【図４】
2005172062.tif 000006
【図５】
2005172062.tif 000007
【図６】
2005172062.tif 000008